(57)【特許請求の範囲】
【請求項１】
第１の暗号方式を有する第１の通信網に接続される第１の携帯端末と、前記第１の暗号方式とは異なる第２の暗号方式を有する第２の通信網に接続される第２の携帯端末との間において暗号通信を実現させる通信システムであって、
前記第１の携帯端末又は前記第２の携帯端末に対して音声発呼を行う音声発呼手段と、
前記第１の暗号方式と前記第２の暗号方式とを相互に変換する暗号方式変換手段と、
前記第１の携帯端末との接続を前記第１の暗号方式による接続へ移行し、又は前記第２の携帯端末との接続を前記第２の暗号方式による接続へと移行する接続移行手段と、
前記第１の携帯端末又は前記第２の携帯端末に対する音声通信からデータ通信への切替えを行う切替手段と、
を有し、
前記第１の携帯端末と接続後、前記接続移行手段により前記第１の携帯端末との接続を前記第１の暗号方式による接続へ移行し、
前記音声発呼手段が前記第１の携帯端末からの暗号化された発呼要求に応じて前記第２の携帯端末に対し音声発呼を行い、
前記切替手段により音声通信からデータ通信へと切替え、
音声着信を受けた前記第２の携帯端末との接続を行った後、前記接続移行手段により前記第２の携帯端末との接続を前記第２の暗号方式による接続へと移行し、
前記第１の携帯端末と前記第２の携帯端末との間の通信の際に前記暗号方式変換手段が相互の暗号方式を変換する
通信システム。
【請求項２】
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路と、
前記携帯端末との接続を暗号方式による接続へと移行する接続移行手段と、
異なる暗号方式を相互に変換する暗号方式変換手段と、
を有し、
第１の携帯端末と接続後、前記接続移行手段により前記第１の携帯端末との接続を第１の暗号方式による接続へ移行し、
前記第１の携帯端末からの暗号化された発呼要求に応じて前記第１の接続回路により第２の携帯端末に対し音声発呼を行い、
前記切替制御回路により音声通信からデータ通信へと切替え、
音声着信を受けた前記第２の携帯端末との接続を行った後、前記接続移行手段により前記第２の携帯端末との接続を前記第１の暗号方式とは異なる第２の暗号方式による接続へと移行し、
前記第１の携帯端末と前記第２の携帯端末との間の通信の際に前記暗号方式変換手段が相互の暗号方式を変換する
通信システム。
【請求項３】
前記切替制御回路は、前記第１の携帯端末からの暗号化された発呼要求に対して、接続を行う相手携帯端末である前記第２の携帯端末の電話番号を管理するアドレス帳管理回路から当該電話番号を、前記第２の携帯端末への音声発呼を行う前記第１の接続回路へ中継することを特徴とする請求項２記載の通信システム。
【請求項４】
前記切替制御回路は、前記第１の接続回路にて音声発呼を行った後、前記第２の携帯端末からのパケット発呼に応答するために前記第１の接続回路から前記第２の接続回路に切替える
ことを特徴とする請求項２または請求項３記載の通信システム。
【請求項５】
前記切替制御回路は、前記第２の接続回路にてパケット接続にて前記携帯端末と接続した後にＬＡＮ（Ｌｏｃａｌ  Ａｒｅａ  Ｎｅｔｗｏｒｋ）ネットワークへ中継することを特徴とする請求項２から請求項４のいずれか記載の通信システム。
【請求項６】
前記第１の携帯端末及び前記第２の携帯端末は、携帯電話通信網を介して相手側端末と通信可能な構成で、かつ、パケットデータ通信機能と音声通信機能を有する３ＧＰＰ（Ｔｈｉｒｄ  Ｇｅｎｅｒａｔｉｏｎ  Ｐａｒｔｎｅｒｓｈｉｐ  Ｐｒｏｊｅｃｔｓ）規格の端末であることを特徴とする請求項１から請求項５のいずれか記載の通信システム。
【請求項７】
第１の暗号方式を有する第１の通信網に接続される第１の携帯端末と、前記第１の暗号方式とは異なる第２の暗号方式を有する第２の通信網に接続される第２の携帯端末との間において暗号通信を実現させる動作制御方法であって、
第１の携帯端末と接続後、前記第１の携帯端末との接続を第１の暗号方式による接続へ移行し、
前記第１の携帯端末からの暗号化された発呼要求に応じて第２の携帯端末に対し音声発呼を行い、
音声通信からデータ通信へと切替え、
音声着信を受けた前記第２の携帯端末との接続を行った後、前記第２の携帯端末との接続を前記第１の暗号方式とは異なる第２の暗号方式による接続へと移行し、
前記第１の携帯端末と前記第２の携帯端末との間の通信の際に相互の暗号方式を変換する
動作制御方法。
【請求項８】
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
第１の携帯端末と接続後、前記第１の携帯端末との接続を第１の暗号方式による接続へ移行し、
前記第１の携帯端末からの暗号化された発呼要求に応じて前記第１の接続回路により第２の携帯端末に対し音声発呼を行い、
前記切替制御回路により音声通信からデータ通信へと切替え、
音声着信を受けた前記第２の携帯端末との接続を行った後、前記第２の携帯端末との接続を前記第１の暗号方式とは異なる第２の暗号方式による接続へと移行し、
前記第１の携帯端末と前記第２の携帯端末との間の通信の際に相互の暗号方式を変換する
動作制御方法。
【発明の詳細な説明】
【技術分野】
【０００１】
本発明は通信装置、通信システム及びそれらに用いる動作制御方法に関し、特にＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）規格、すなわち第三世代のディジタル携帯電話（３Ｇ端末）に対して、携帯電話の音声発呼機能を用いて、通信装置との間において音声通信からデータ通信に自動移行する仕組みに関する。
【背景技術】
【０００２】
本発明に関連する携帯電話端末装置、特に電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）規格のＰＤＣ（ｐｅｒｓｏｎａｌ  ｄｉｇｉｔａｌ  ｃｅｌｌｕｌａｒ）携帯電話、すなわち第二世代のディジタル携帯電話においては、データ通信機能と音声通信機能とが分離されている。
【０００３】
これに対して、下記の特許文献１に記載の技術では、一つの通信手段にて、アナログ音声通信からディジタルデータ通信に切り替えることにより音声確認ができる電話端末装置を提供可能としている。
【先行技術文献】
【特許文献】
【０００４】
【特許文献１】特開２００４−４８４１３号公報
【発明の概要】
【発明が解決しようとする課題】
【０００５】
しかしながら、ＰＤＣの次の世代であるＩＭＴ−２０００規格の３Ｇ端末においては、一つの通信手段の中で音声通信機能からデータ通信機能への移行に対応していない。
【０００６】
そのため、接続装置から３Ｇ端末に対してディジタルデータ通信への移行要求を掛ける場合は、音声通話にて事前打ち合せ後、一旦終話し、３Ｇ端末側から手動でパケット発呼して貰うか、３Ｇ端末側にてアプリを常時起動しておいて貰う必要がある。
【０００７】
前者の場合、ユーザが予め音声通話を実施するという手順が余分に発生することと、打合わせ通話後に一旦終話する必要があるため、終話後に他の接続に割り込まれた場合、データ通信が実施できなくなるという問題が発生する。
【０００８】
後者の場合、３Ｇ端末にてアプリを常時起動しておくと、３Ｇ端末の電力消費が増大するため、長時間の使用に耐えられないという問題が発生する。
【０００９】
そこで、本発明の目的は上記の問題点を解消し、相手側３Ｇ端末の応答確認、相手側３Ｇ端末のアプリ自動起動及びデータ通信モードへの移行を１つの通信手段にて実施することができる通信装置、通信システム及びそれに用いる動作制御方法を提供することにある。
【課題を解決するための手段】
【００１０】
本発明による通信装置は、第１の通信網に接続される携帯端末との間において暗号通信を実現させかつ前記第１の通信網とは異なるプロトコルを有する第２の通信網に接続される通信装置であって、
前記第１及び第２の通信網間における通信プロトコルを変換する通信プロトコル変換手段と、前記携帯端末に対する音声通信からデータ通信への切替えを行う切替手段と、前記携帯端末との間の暗号通信の接続を行う暗号通信接続手段とを備えている。
【００１１】
本発明による他の通信装置は、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを備え、
待機中の携帯端末に対して前記第１の接続回路にて音声発信を行い、その直後に前記第２の接続回路にてパケットデータ接続に切替えてデータ通信に移行している。
【００１２】
本発明による通信システムは、上記の通信装置を含むことを特徴とする。
【００１３】
本発明による動作制御方法は、第１の通信網に接続される携帯端末との間において暗号通信を実現させかつ前記第１の通信網とは異なるプロトコルを有する第２の通信網に接続される通信装置に用いる動作制御方法であって、
前記通信装置が、前記第１及び第２の通信網間における通信プロトコルを変換する通信プロトコル変換処理と、前記携帯端末に対する音声通信からデータ通信への切替えを行う切替処理と、前記携帯端末との間の暗号通信の接続を行う暗号通信接続処理とを実行している。
【００１４】
本発明による他の動作制御方法は、
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
前記通信装置において、待機中の携帯端末に対して前記第１の接続回路にて音声発信を行い、その直後に前記第２の接続回路にてパケットデータ接続に切替えてデータ通信に移行している。
【発明の効果】
【００１５】
本発明は、上記のような構成及び動作とすることで、相手側３Ｇ端末の応答確認、相手側３Ｇ端末のアプリ自動起動及びデータ通信モードへの移行を１つの通信手段にて実施することができるという効果が得られる。
【図面の簡単な説明】
【００１６】
【図１】本発明の実施の形態による通信装置の構成例を示すブロック図である。
【図２】本発明による通信システムの構成例を示すブロック図である。
【図３】本発明の実施の形態による通信システムの動作を示すシーケンスチャートである。
【図４】本発明の実施の形態による通信システムの動作を示すシーケンスチャートである。
【発明を実施するための形態】
【００１７】
次に、本発明の実施の形態について図面を参照して説明する。まず、本発明による通信装置の概要について説明する。本発明による通信装置は、３Ｇ端末（第三世代のディジタル携帯電話）において、一つの通信手段にて音声信号通信からデータ信号通信に自動的に切替えることにより、相手側３Ｇ端末の応答確認、相手側３Ｇ端末のアプリ自動起動及びデータ通信モードへの移行を１つの通信手段にて実施することができる。
【００１８】
本発明は、第１の通信網に接続される３Ｇ端末と、第１の通信網とは異なるプロトコルを有する第２の通信網に接続される通信装置との間において、暗号通信を実現させるための通信システムである。
【００１９】
本発明による通信装置は、上記の通信システムにおいて、第１及び第２の通信網間における通信プロトコル変換を行う通信プロトコル変換手段と、３Ｇ端末に対する音声通信からデータ通信への切替えを行う切替手段と、３Ｇ端末との間の暗号通信で接続を行う暗号接続手段とを有することを特徴とする。
【００２０】
本発明による通信システムは、第１の通信網を介して通信装置と通信可能な構成でかつデータ通信機能と音声通信機能とを含む３Ｇ端末と、通信装置と、３Ｇ端末に対して接続が許可された端末であるかどうかを判定する認証装置と、３Ｇ端末同士、または３Ｇ端末〜データ情報端末間のデータ中継を行う音声中継ゲートウェイ（ＧＷ：ｇａｔｅｗａｙ）と、３Ｇ端末と通信装置との間を暗号通信するための情報を配信する鍵配信装置とから構成されている。
【００２１】
通信装置は、３Ｇ端末に対して音声発信を行う第１の接続回路と、３Ｇ端末間にてデータ通信を行う第２の接続回路と、３Ｇ端末に対して発呼するためのアドレス帳管理を行うアドレス帳管理回路と、外部からの発呼要求に対して接続を行う相手の３Ｇ端末の電話番号を管理するアドレス帳管理回路から、相手３Ｇ端末への音声発呼を行う第１の接続回路への中継、第１の接続回路（音声接続）が音声による発呼後、相手３Ｇ端末からのパケット発呼に応答するための第２の接続回路（パケットデータ接続）への切替えを行う切替制御回路とを有する。
【００２２】
ここで、上記の切替制御回路は、音声網を用いて待機中の３Ｇ端末に対して音声発呼を実施する第１の接続回路と、音声着信した３Ｇ端末からデータ通信による発呼があった場合、データ接続モードにて接続を行う第２の接続回路のいずれかに設定することを特徴とする。これによって、本発明では、同じ３Ｇ端末で音声通信モードからデータ通信モードに自動的に切替えて通信することができる。
【００２３】
本発明では、まず音声通信モードで相手側３Ｇ端末が着信可能であるかどうかを確認し、相手側３Ｇ端末が着信した後に、相手側３Ｇ端末が暗号通信用アプリケーションを起動し、データ通信モードにて通信装置に対して再接続を掛けることにより、相手側３Ｇ端末の応答確認、相手側３Ｇ端末のアプリ起動、データ通信モードによる再接続を１つの連続した手順で実施することができる。
【００２４】
図１は本発明の実施の形態による通信装置の構成例を示すブロック図である。図１においては、接続処理を行うＡＰ（アプリケーション）サーバの機能ブロックを示している。
【００２５】
図１において、ＡＰサーバ５は、接続回路（＃１）５１と、接続回路（＃２）５２と、アドレス帳管理回路５３と、切替制御回路５４と、ＬＡＮ（Ｌｏｃａｌ  Ａｒｅａ  Ｎｅｔｗｏｒｋ）インタフェース５５とから構成されている。
【００２６】
接続回路（＃１）５１は、音声網３０を介して発呼する回路であり、接続回路（＃２）５２は、３Ｇ網２０を介して、３Ｇ端末とデータ通信を行う回路である。アドレス帳管理回路５３は、発呼可能な３Ｇ端末のアドレス帳の保存及び番号管理を行う回路である。
【００２７】
切替制御回路５４は、ＬＡＮインタフェース５５を介してＬＡＮ４０に接続するとともに、接続回路（＃１）５１と接続回路（＃２）５２とを切替えてＬＡＮ４０に接続させている。また、切替制御回路５４は、アドレス帳管理回路５３の情報を接続回路（＃１）５１に中継している。
【００２８】
図２は本発明による通信システムの構成例を示すブロック図である。図２において、３Ｇ端末１（発呼側）は、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ  ２０００）ネットワークである３Ｇ網１０を介して音声中継ＧＷ３に接続される。
【００２９】
この音声中継ＧＷ３は、３Ｇ網１０を介して接続される３Ｇ端末１と、３Ｇ網２０を介して接続される３Ｇ端末２（着信側）との間において、プロトコル（暗号方式）終端及び音声の中継を行うプロトコル変換用の通信装置である。
【００３０】
このプロトコル変換用通信装置である音声中継ＧＷ３により、異なる暗号方式を持つ３Ｇ端末１の通信区間と３Ｇ端末２の通信区間とを中継することが可能となる。
【００３１】
また、ＲＡＤＩＵＳ（Ｒｅｍｏｔｅ  Ａｕｔｈｅｎｔｉｃａｔｉｏｎ  Ｄｉａｌ−Ｉｎ  Ｕｓｅｒ  Ｓｅｒｖｉｃｅ）サーバ４は、３Ｇ端末１がＬＡＮ４０にアクセスするための認証サーバである。
【００３２】
ＡＰサーバ５は、音声網３０、３Ｇ網１０，２０を介して３Ｇ端末１及び３Ｇ端末２をＬＡＮ４０と接続するためのアプリケーションサーバであり、鍵配信サーバ６は、３Ｇ端末１と音声中継ＧＷ３との間及び３Ｇ端末２と音声中継ＧＷ３との間の暗号通信に必要な情報を配信するサーバである。
【００３３】
図３及び図４は本発明の実施の形態による通信システムの動作を示すシーケンスチャートである。これら図１〜図４を参照して本発明の実施の形態による通信システムの動作について説明する。
【００３４】
まず、本実施の形態では、図１及び図２に示すシステムを構築し、３Ｇ端末１及び３Ｇ端末２には暗号通信用アプリケーション（以下、アプリとする）を予めインストールしておく。最初の段階では、３Ｇ端末１及び３Ｇ端末２は、ＬＡＮ４０に接続されていない（図３の１０１）。
【００３５】
３Ｇ端末１のユーザが手動で３Ｇ端末１上のアプリを起動して実行すると、３Ｇ端末１は、ＬＡＮ４０へＩＰ（Ｉｎｔｅｒｎｅｔ  Ｐｒｏｔｏｃｏｌ）接続する。３Ｇ端末１は、ＲＡＤＩＵＳサーバ４との間で端末認証を行い、その端末認証にて認証されるとＡＰサーバ５にアクセス可能となる（図３の１０２）。
【００３６】
３Ｇ端末１は、ＡＰサーバ５に対して３Ｇ端末１〜ＡＰサーバ５間の鍵交換要求を実施する。ＡＰサーバ５は、鍵配信サーバ６より鍵情報を取得し、３Ｇ端末１との間で鍵（以下、鍵（Ａ）とする）を実施し、暗号通信による接続に移行する（図３の１０３）。
【００３７】
３Ｇ端末１は、ＡＰサーバ５内のアドレス帳管理回路５３に対してアドレス帳のデータベースを要求する。ＡＰサーバ５は、自分の持つアドレス帳に対して「鍵（Ａ）」で暗号化し、３Ｇ端末１に送る（図３の１０４）。
【００３８】
これにより、３Ｇ端末１においては、アドレス帳の一覧が画面表示される。３Ｇ端末１のユーザがアドレス帳一覧の中から、接続先である３Ｇ端末２の番号を選択すると、３Ｇ端末１は、ＡＰサーバ５に対して発呼（ＩＮＶＩＴＥ）を行い、３Ｇ端末２の宛先情報（識別ＩＰアドレス）を渡す（図３の１０５）。
【００３９】
ＡＰサーバ５は、３Ｇ端末１から送信された宛先情報を元に、３Ｇ端末２の登録情報（起動状態［起動／停止］、接続状態［接続／未接続］、識別［電話番号］）を取得する（図３の１０６）。
【００４０】
ＡＰサーバ５は、３Ｇ端末２の現在の登録情報（起動状態［停止］、接続状態［未接続］）を識別し、３Ｇ端末２に対して音声網３０を介して音声呼によりワンコール呼出しを行う（図３の１０７）。
【００４１】
３Ｇ端末２は、音声着信を受けると起動する。このとき、３Ｇ端末２は、ワンコールの呼出しをトリガとしてアプリを起動する（図３の１０８）。
【００４２】
３Ｇ端末２は、アプリを起動して実行すると、ＬＡＮ４０へＩＰ接続する。３Ｇ端末２は、ＲＡＤＩＵＳサーバ４との間で端末認証を行い、その端末認証にて認証されるとＡＰサーバ５にアクセス可能となる（図３の１０９）。
【００４３】
３Ｇ端末２は、ＡＰサーバ５に対して３Ｇ端末２〜ＡＰサーバ５間の鍵交換要求を実施する。ＡＰサーバ５は、鍵配信サーバ６より鍵情報を取得し、３Ｇ端末２との間で鍵（以下、鍵（Ｂ）とする）を実施し、暗号通信による接続に移行する（図４の１１０）。
【００４４】
３Ｇ端末２は、ＡＰサーバ５に対して回線確立通知を送信する。ＡＰサーバ５は、３Ｇ端末２からの回線確立通知を認識して、音声データＧＷ３、３Ｇ端末１及び３Ｇ端末２に接続ポートを通知する（図４の１１１）。
【００４５】
音声データＧＷ２は、３Ｇ端末１及び３Ｇ端末２とそれぞれポート接続を行う。この時点で、３Ｇ端末１−音声データＧＷ３−３Ｇ端末２の通信系統が構築される（図４の１１２）。
【００４６】
ＡＰサーバ５は、３Ｇ端末２に対して呼出音鳴動を指示する。３Ｇ端末２は、その要求を受けて３Ｇ端末２のアプリ内で呼出音を鳴動させる（図４の１１３）。
【００４７】
３Ｇ端末２のユーザが３Ｇ端末２の着信音を聴取後に応答（オフフック）すると、３Ｇ端末２は、応答完了通知をＡＰサーバ５に送信する。その後、ＡＰサーバ５は、３Ｇ端末１に対して応答完了通知を送信し、３Ｇ端末１と３Ｇ端末２との間で暗号通信が可能となる（図４の１１４）。
【００４８】
このとき、３Ｇ端末１と音声データＧＷ３との間の通信は「鍵（Ａ）」で、３Ｇ端末２と音声データＧＷ３との間の通信は「鍵（Ｂ）」で、それぞれ暗号化されており、音声データＧＷ２にて相互の暗号を復号化→符号化、符号化→復号化することで、対向通信を実現している。
【００４９】
このように、本実施の形態では、対応する携帯電話（待機時）に対する接続実施時に、ＡＰサーバ５からの音声発呼（ワンコール）により、相手への確実な指示を実施することができ、相手側端末が未準備状態で通信できないという状況の発生を防ぐことができる。
【００５０】
また、本実施の形態では、音声発呼後に、速やかに音声網３０を切り離して３Ｇ網２０を用いたデータ通信モードに切り替えることができるため、通信回線を余分に使用することなく、データ通信モードに自動的に切替えてデータ通信を行うことができる。
【００５１】
このように、本実施の形態では、同じ３Ｇ端末で音声通信モードからデータ通信モードに自動的に切替えて通信することができるため、ユーザによる余分な操作を必要とせず、相手側３Ｇ端末の応答確認、相手側３Ｇ端末のアプリ自動起動及びデータ通信モードへの移行を１つの通信手段にて実施可能となり、効率的な通信を実現することができる。
【００５２】
尚、本発明において、発呼側となる３Ｇ端末１は、ＬＡＮ４０へＩＰ接続することができる端末であれば、無線ＬＡＮによるデータ通信機能を有する携帯電話の他、パーソナルコンピュータであってもよい。また、データ通信モードに移行した場合は、音声通信に限定されず、メールや画像データの送受信も可能となる。
【００５３】
上記の実施の形態の一部又は全部は、以下の付記のようにも記載され得るが、以下の記載に限定されない。
【００５４】
［付記１］
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
前記通信装置において、待機中の携帯端末に対して前記第１の接続回路にて音声発信を行い、その直後に前記第２の接続回路にてパケットデータ接続に切替えてデータ通信に移行し、
前記切替制御回路が、外部からの発呼要求に対して、接続を行う相手携帯端末の電話番号を管理するアドレス帳管理回路から当該電話番号を、前記相手携帯端末への音声発呼を行う前記第１の接続回路へ中継することを特徴とする動作制御方法。
【００５５】
［付記２］
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
前記通信装置において、待機中の携帯端末に対して前記第１の接続回路にて音声発信を行い、その直後に前記第２の接続回路にてパケットデータ接続に切替えてデータ通信に移行し、
前記切替制御回路が、前記第１の接続回路にて音声発呼を行った後、相手携帯端末からのパケット発呼に応答するために前記第１の接続回路から前記第２の接続回路に切替えることを特徴とする動作制御方法。
【００５６】
［付記３］
前記切替制御回路が、前記第１の接続回路にて音声発呼を行った後、相手携帯端末からのパケット発呼に応答するために前記第１の接続回路から前記第２の接続回路に切替えることを特徴とする付記１に記載の動作制御方法。
【００５７】
［付記４］
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
前記通信装置において、待機中の携帯端末に対して前記第１の接続回路にて音声発信を行い、その直後に前記第２の接続回路にてパケットデータ接続に切替えてデータ通信に移行し、
前記切替制御回路が、前記第２の接続回路にてパケット接続にて前記携帯端末と接続した後にＬＡＮ（Ｌｏｃａｌ  Ａｒｅａ  Ｎｅｔｗｏｒｋ）ネットワークへ中継することを特徴とする動作制御方法。
【００５８】
［付記５］
前記切替制御回路が、前記第２の接続回路にてパケット接続にて前記携帯端末と接続した後にＬＡＮ（Ｌｏｃａｌ  Ａｒｅａ  Ｎｅｔｗｏｒｋ）ネットワークへ中継することを特徴とする付記１から付記３のいずれかに記載の動作制御方法。
【００５９】
［付記６］
通信装置に、
携帯端末に対して音声発着信を行う第１の接続回路と、
前記携帯端末に対してパケットデータ接続を行う第２の接続回路と、
前記携帯端末に対して発呼するためのアドレス帳管理を行うアドレス帳管理回路と、
前記第１の接続回路及び前記第２の接続回路を切替えて前記携帯端末を相手携帯端末に接続する切替制御回路とを配設し、
前記通信装置において、待機中の携帯端末に対して前記第１の接続回路にて音声発信を行い、その直後に前記第２の接続回路にてパケットデータ接続に切替えてデータ通信に移行し、
前記携帯端末が、携帯電話通信網を介して相手側端末と通信可能な構成で、かつ、パケットデータ通信機能と音声通信機能を有する３ＧＰＰ（Ｔｈｉｒｄ  Ｇｅｎｅｒａｔｉｏｎ  Ｐａｒｔｎｅｒｓｈｉｐ  Ｐｒｏｊｅｃｔｓ）規格の端末であることを特徴とする動作制御方法。
【００６０】
［付記７］
前記携帯端末が、携帯電話通信網を介して相手側端末と通信可能な構成で、かつ、パケットデータ通信機能と音声通信機能を有する３ＧＰＰ（Ｔｈｉｒｄ  Ｇｅｎｅｒａｔｉｏｎ  Ｐａｒｔｎｅｒｓｈｉｐ  Ｐｒｏｊｅｃｔｓ）規格の端末であることを特徴とする付記１から付記５のいずれか記載の動作制御方法。
【符号の説明】
【００６１】
１，２  ３Ｇ端末
３  音声中継ＧＷ
４  ＲＡＤＩＵＳサーバ
５  ＡＰサーバ
６  鍵配信サーバ
１０  ３Ｇ網
２０  ３Ｇ網
３０  音声網
４０  ＬＡＮ
５１  接続回路（＃１）
５２  接続回路（＃２）
５３  アドレス帳管理回路
５４  切替制御回路
５５  ＬＡＮインタフェース
【図１】
0005682254.tif 000002
【図２】
0005682254.tif 000003
【図３】
0005682254.tif 000004
【図４】
0005682254.tif 000005